(57)【要約】      （修正有）【課題】回転効果を有する装置を提供する。【解決手段】回転効果を有する装置１は外筒部１０、回転筒部２０、回転機構６０、押し構造５０及び減速機構７０を備える。回転筒部２０は外筒部１０に内設され、回転機構６０と回転筒部２０とが結合されることで回転筒部２０を回転させ、押し構造５０と外筒部１０とは結合される。減速機構７０と回転筒部２０とは結合されると共に、回転筒部２０の回転速度を減速させる。【選択図】図３
0003194274.tif 000002
【実用新案登録請求の範囲】
【請求項１】
外筒部と、
前記外筒部に内設される回転筒部と、
前記回転筒部に結合されると共に前記回転筒部を回転させる回転機構と、
前記外筒部に結合される押し構造と、
前記回転筒部に結合され、前記回転筒部の回転速度を減速させるための減速機構とを備え、
ここでは、前記押し構造は押し作動及び緩め作動を含み、前記押し作動では前記押し構造は前記回転機構が起動されて第一方向の回転を行い、前記緩め作動では前記回転機構は前記第二方向の回転を行い、且つ前記第二方向と前記第一方向の回転方向は反対であることを特徴とする回転効果を有する装置。
【請求項２】
前記回転機構は、回転部材、はめあい部材、及び回転弾性部材を更に備え、前記回転弾性部材の両端は前記回転部材及び前記はめあい部材に連結され、前記回転部材と前記はめあい部材とは結合され、前記回転部材は前記回転筒部の下方に設けられると共に前記回転筒部に係合され、前記押し作動において前記回転部材が前記第一方向の回転により前記回転弾性部材が捻られ、また、
前記緩め作動において、前記回転弾性部材は前記回転部材を連動させて前記第二方向の回転を行い、前記回転部材は前記回転筒部を連動させて回転させ、前記減速機構は前記回転筒部の回転速度を減速させることを特徴とする請求項１記載の回転効果を有する装置。
【請求項３】
前記押し構造は押し端、回転連動棒、及び弾性部材を備え、上述の構造により前記押し端は前記押し作動において、前記回転連動棒を前進させ、前記押し端は前記緩め作動において、前記弾性部材により前記回転連動棒を連動させて後退させることを特徴とする請求項２記載の回転効果を有する装置。
【請求項４】
前記回転機構は回転の案内部材を更に備え、前記回転連動棒が前進すると前記回転の案内部材が連動されて前記第一方向の回転を行い、前記回転の案内部材により前記回転筒部が連動されて前記第一方向の回転を行い、前記回転筒部により前記回転部材が連動されて前記第一方向の回転を行うことを特徴とする請求項３記載の回転効果を有する装置。
【請求項５】
前記減速機構は案内リング及びダンピング部材を備え、前記回転筒部と前記案内リングとは接合されることを特徴とする請求項４記載の回転効果を有する装置。
【請求項６】
前記ダンピング部材はダンピングオイルであり、前記ダンピングオイルは前記回転筒部の回転速度を減速させることを特徴とする請求項５記載の回転効果を有する装置。
【請求項７】
前記案内リングは環状凹部を備え、前記回転筒部には対応するダンピング部材が設けられ、前記ダンピングオイルは前記環状凹部内に設けられることを特徴とする請求項６記載の回転効果を有する装置。
【請求項８】
前記回転連動棒は回転駆動部材を備え、前記回転の案内部材はガイド溝を含み、前記回転連動棒が前進すると、前記回転駆動部材により前記ガイド溝が連動され、前記回転の案内部材が前記第一方向の回転を行うことを特徴とする請求項３乃至７の何れか１項に記載の回転効果を有する装置。
【請求項９】
前記回転の案内部材は前記回転筒部に内設され、前記回転連動棒が前進すると前記回転の案内部材と前記回転筒部とが係合され、前記回転連動棒が後退すると、前記回転連動棒は前記回転の案内部材を前記回転筒部から脱離させることを特徴とする請求項４乃至７の何れか１項に記載の回転効果を有する装置。
【請求項１０】
外筒部に結合されるペンの機構を更に備えることを特徴とする請求項１乃至７の何れか１項に記載の回転効果を有する装置。
【請求項１１】
前記外筒部は上外筒部及びメイン外筒部を備え、前記上外筒部と前記メイン外筒部とは結合され、前記押し端は前記上外筒部の上方に設けられ、且つ前記メイン外筒部は内筒部及び外層筒部をさらに含み、前記回転筒部は前記内筒部と前記外層筒部との間に位置され、前記内筒部は液体を注入するのに用いられることを特徴とする請求項３乃至７の何れか１項に記載の回転効果を有する装置。
【請求項１２】
前記押し構造は押し装置を更に備え、前記押し装置は前記内筒部に内設されるパイプ部を含むことを特徴とする請求項１１記載の回転効果を有する装置。
【考案の詳細な説明】
【技術分野】
【０００１】
本考案は、ペン、キーチェーン、ボディソープのボトル等の回転効果を有する装置に関する。
【背景技術】
【０００２】
回転効果を有する装置は、ペン或いはキーチェーン等に用いられるものは少ない。例えば、ペンが押されるとペンの１つ或いは複数の回転筒部が高速回転し、最後に回転筒部の１つの面が窓からランダムに表示され、目を楽しませる効果を達成させる。（例えば、特許文献１参照）。
【先行技術文献】
【特許文献】
【０００３】
【特許文献１】米国特許出願公開第８２２６３１４号明細書
【考案の概要】
【考案が解決しようとする課題】
【０００４】
しかしながら、前述した従来の技術では、回転筒部に印刷される幾つかのパターンは、低速回転方式により異なる効果を表現させるため、低速回転の機構で設計する必要があり、特に電力を頼りモーターを低速回転に操作させる必要のない機構で設計される。またこの機構が狭小な空間内に装設される場合、例えばペンに結合させる場合は、当該機構を微細に設計することは容易ではない。
【０００５】
そこで、本考案者は上記の欠点が改善可能と考え、鋭意検討を重ねた結果、合理的設計で上記の課題を効果的に改善する本考案の提案に到った。
【０００６】
本考案は、このような従来の問題に鑑みてなされたものである。上記課題解決のため、本考案は、回転効果を有する装置を提供することを主目的とする。つまり、本考案の装置が押された後に、装置内の回転筒部は低速回転の効果を有する。
【課題を解決するための手段】
【０００７】
上述した課題を解決し、目的を達成するために、本考案に係る回転効果を有する装置は外筒部、回転筒部、回転機構、押し構造、及び減速機構を備える。
【０００８】
回転筒部は外筒部に内設され、回転機構と回転筒部とが結合されることで回転筒部を回転させ、押し構造と外筒部とは結合される。押し構造は押し作動及び緩め作動を含み、押し作動では押し構造は回転機構が起動されて第一方向の回転を行い、緩め作動では回転機構は前記第二方向の回転を行い、前記第二方向と前記第一方向の回転方向は反対である。
【０００９】
減速機構と回転筒部とは結合され、回転筒部の回転速度を減速させる。実施形態では減速機構は案内リング及びダンピング部材を備え、ダンピング部材はダンピングオイルであり、前記ダンピングオイルは前記回転筒部の回転速度を減速させる。
【考案の効果】
【００１０】
本考案によれば、装置内の回転筒部により低速回転する効果が得られる。
【図面の簡単な説明】
【００１１】
【図１】本考案の第１実施形態による回転効果を有する装置を示す外観図である。
【図２】本考案の第１実施形態による回転効果を有する装置を示す断面模式図である。
【図３】本考案の第１実施形態による回転効果を有する装置を示す斜視の展開図である。
【図４】本考案の第１実施形態において、押し構造が押されない状態を示す一部の拡大断面模式図である。
【図５】本考案の第１実施形態において、押し構造が押された状態を示す一部の拡大断面模式図である。
【図６】本考案の第１実施形態において、回転筒部、押し構造及び回転機構を示す展開図である。
【図７】本考案の第１実施形態において、回転機構を示す展開図である。
【図８】本考案の第１実施形態において、上外筒部及び減速機構を示す展開図である。
【図９】本考案の第１実施形態において、上外筒部を示す上面図である。
【図１０】本考案の第１実施形態において、上外筒部及び減速機構を示す一部の拡大断面模式図である。
【図１１】本考案の第２実施形態による回転効果を有する装置を示す外観図である。
【図１２】本考案の第２実施形態による回転効果を有する装置を示す断面模式図である。
【図１３】本考案の第３実施形態による回転効果を有する装置を示す外観図である。
【図１４】本考案の第３実施形態による回転効果を有する装置を示す展開図である。
【図１５】本考案の第３実施形態において、メン外筒部、回転連動棒、及び回転部材を示す展開図である。
【図１６】本考案の第３実施形態において、回転筒用の円盤台、回転部材、及びはめあい部材を示す展開図である。
【図１７】本考案の下外筒部及び減速機構を示す上面図である。
【図１８】本考案の第３実施形態において、押し構造が押されない状態を示す模式図である。
【図１９】本考案の第３実施形態において、押し構造が押された状態を示す模式図である。
【考案を実施するための形態】
【００１２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
（第１実施形態）
【００１３】
以下、第１実施形態を図１〜図１０に基づいて説明する。本考案の回転効果を有する装置１はペンであり、外筒部１０、回転筒部２０、内筒部３０、押し構造５０、回転機構６０、減速機構７０、発光モジュール８０及びペンの機構９０を主に備える。
【００１４】
また、外筒部１０は上外筒部１１及びメイン外筒部１２を更に備える。この好ましい実施形態では、外筒部１１はクリップ１１２のペンキャップ（ＰＥＮ  ＣＡＰ）を含む。メイン外筒部１２の下方はペンの機構９０に結合される。ペンの機構９０には一般的なノック式ペンの機構（１回押す毎にペンの芯部が延出或いは縮退される）が採用され、筒部９１、ペン先部９２、飾り用のリング９３、ペンの芯部９４、ペンの芯の弾性部材９５、及び圧下用のキット９６を備える。ペンの機構９０は本考案の重点ではなく、既知の機構であるため詳述はしない。
【００１５】
図３ないし図７に示すように、押し構造５０は押し端５１（本実施形態ではペンのノック部）、回転連動棒５４及び弾性部材５５を備える。回転連動棒５４は回転駆動部材５４１を含み、この好ましい実施形態では、回転連動棒５４はスクリュー軸であり、回転駆動部材５４１はねじ山である（図６参照）。本実施形態では、押し端５１の下方には発光モジュール８０が設置される。
【００１６】
さらに、発光モジュール８０はランプ８１（例えばＬＥＤ）、複数のバッテリー８２、筒部８５及び導光柱８６を備える。筒部８５の上端は押し端５１に直接係合され（図５参照）、ランプ８１は導光柱８６に直接連結される（導光柱８６と筒部８５とが連結され、ランプ８１は筒部８５の外に突出し導光柱８６内に挿入される）。発光モジュール８０から発する光は装飾効果を増強させ、回転効果を有する装置１の上方が発光するようになる。ペン中の発光モジュール８０は既知の技術であり、本考案の重点にあらず、このため回路機構の詳述は省く。
【００１７】
押し構造５０と前記外筒部１０とは結合され、この好ましい実施形態では、押し端５１は上外筒部１１の上方に位置される。内筒部３０は回転筒部２０に内設され、回転連動棒５４及び弾性部材５５は前記内筒部３０に内設され、回転連動棒５４の頂端は導光柱８６の小径の孔部８６１中に固定される。
【００１８】
回転機構６０は回転の案内部材６１、回転部材６２、はめあい部材６３及び回転弾性部材６４を備える（図３乃至図７参照）。回転の案内部材６１は回転筒部２０に内設され、内筒部３０の下方に位置される。回転の案内部材６１は回転連動棒５４に組み合わされ、回転の案内部材６１はガイド溝６１１を含み（図６参照）、前記回転桿５４が前進すると、ガイド溝６１１の形状の設計により、回転駆動部材５４１が前進するとガイド溝６１１が連動されて回転の案内部材６１は第一方向の回転を行う（本実施形態では反時計回り方向）。回転の案内部材６１及びガイド溝６１１の組合せにより回転を行うことは従来の技術であり、例えばアメリカ特許出願公開第８２２６３１４号明細書にも掲示されている。
【００１９】
なお、回転の案内部材６１の下方には歯車部６１２が設けられ、歯車部６１２は斜面の設計を有し、回転筒部２０の下方には斜面の設計に対応する案内用歯車２１を有し、回転の案内部材６１が第一方向の回転を行うと回転筒部２０が連動されて第一方向の回転を行う（図６参照）。
【００２０】
回転部材６２の円形の凸柱部６２４ははめあい部材６３の孔部６３４に対応し、回転部材６２とはめあい部材６３とは対応して回転する。回転弾性部材６４の両端は回転部材６２の固定孔６２２及びはめあい部材６３の固定孔６３２に連結される（図６及び図７参照）。回転筒部２０の下方には回転部材２２（本実施形態では２つの凸型ブロック）が設置され、回転部材６２の上方には対応する案内部材６２１（本実施形態では２つの凹型孔）が設けられ、回転筒部２０及び回転部材６２を同調させて回転させる。
【００２１】
はめあい部材６３はメイン外筒部１２の下方に接着剤による粘着方式等で固定される。本実施形態に係るはめあい部材６３には複数の直線リブの係合部材６３３が設けられ、メイン外筒部１２の対応する箇所には複数の直線溝（図示せず）が設けられると共に係合部材６３３に係合され、これによりはめあい部材６３はメイン外筒部１２に装設された後に回転不能になる。このため、回転部材６２が第一方向の回転を行うと回転弾性部材６４は捻られ、回転部材６２に施される力から解除されると回転弾性部材６４は回転復元力を提供し、回転部材６２は第二方向の回転を行う（本実施形態では時計回り方向）。
【００２２】
この好ましい実施形態では、減速機構７０は案内リング７１及びダンピング部材７５を備える。案内リング７１は環状リブ部７１１、環状凹部７１２及び複数のブレーキ板７１３を含む。上外筒部１１には環状リブ部７１１に対応する位置きめ溝１１１が内設される（図８乃至図１０参照）。回転筒部２０の頂端には環状的ダンピング部材２３が設置され、ダンピング部材２３は環状凹部７１２に対応する。また、本実施形態に係るダンピング部材７５はダンピングオイルであり、装設時に少量のダンピングオイル７５が環状凹部７１２内に塗布され、回転筒部２０が自由回転するとダンピング部材２３がダンピングオイル７５に接触することで、回転筒部２０は変速されて減速される。次は、上外筒部を図９に基づいて説明する。上外筒部１１にはブレーキ板７１３に対応する複数のブレーキブロック１１３が内設され、各ブレーキブロック１１３は三角形の外形を有し、案内リング７１が第一方向（本実施形態では反時計回り方向）の回転を行う場合、各ブレーキブロック１１３は各ブレーキ板７１３をブロックせず、このため案内リング７１は第一方向の回転を行える。案内リング７１が第二方向の回転（本実施形態では時計回り方向）を行う場合、各ブレーキブロック１１３は各ブレーキ板７１３をブロックし、これにより案内リング７１は第二方向の回転を行えなくなる。
【００２３】
以下に図４を参照し本実施形態の全動作のフローチャートを説明する。この際押し端５１は押されておらず、回転連動棒５４の大部分は回転の案内部材６１の上方に位置する。図５に示すように、使用者が押し端５１を押すと（押し作動Ｐ１）、押し端５１は筒部８５及び導光柱８６を下に向けて押し、回転連動棒５４により下に向け圧されることで回転の案内部材６１が回転され、回転部材６２は貫通孔６２３を有するため、回転連動棒５４は下に向け回転部材６２に進入する。この際回転の案内部材６１は第一方向Ｃ１の回転を行い、回転連動棒５４は回転の案内部材６１を下に向け圧し、回転の案内部材６１の歯車部６１２は回転筒部２０の案内用歯車２１に係合される。これにより、回転筒部２０は第一方向の回転を行い、続いて回転筒部２０の回転部材２２により回転部材６２は連動されて第一方向の回転を行い、回転弾性部材６４が捻られる。図８、図９及び図１０に示すように、回転筒部２０が第一方向の回転を行う場合、回転筒部２０の上方のダンピング部材２３はダンピングオイル７５により案内リング７１に第一方向の回転を行わせる（各ブレーキブロック１１３が各ブレーキ板７１３をブロックしないため）。このため、使用者が押し端５１を押す場合、ダンピングオイル７５の抵抗力に対抗する必要が無くなる。
【００２４】
使用者は高速に押し端５１を数回押すことで、回転弾性部材６４が捻られる程度を増加させることができる。使用者が押し端５１を解放すると（緩め作動Ｐ２）、図４に示すように、弾性部材５５は回転連動棒５４を上に向けて押し、回転連動棒５４は回転の案内部材６１を上に向け連帯させて、回転の案内部材６１の歯車部６１２を回転筒部２０の案内用歯車２１との係合から外す。回転弾性部材６４は回転復元力を与え、回転部材６２に第二方向Ｃ２の回転を行わせる。続いて、回転部材６２は回転筒部２０を連動させて第二方向Ｃ２の回転を行わせ、ダンピング部材２３はダンピングオイル７５の粘性により第二方向Ｃ２の回転を行おうとする。但し、各ブレーキブロック１１３が各ブレーキ板７１３をブロックするため、案内リング７１は第二方向の回転を行えず、ダンピング部材２３はダンピングオイル７５の抵抗を受け、回転筒部２０が変速しゆっくりと回転する。
【００２５】
本考案の回転効果を有する装置１は外筒部飾り用部材４１、回転筒飾り用部材４２、及び内筒飾り用部材４３を更に備える。外筒部飾り用部材４１はパターンが印刷されるプラスチック片が好ましく、透明のメイン外筒部１２内に装設される。当然ながら、外筒部飾り用部材４１はメイン外筒部１２の外にパターンが印刷されてもよい。回転筒飾り用部材４２は回転筒部２０の外面に印刷されるのが好ましく、或いは回転筒飾り用部材４２はパターンが印刷される貼紙でもよく、回転筒部２０の外面に貼付される。内筒飾り用部材４３も同様に内筒部３０の外表面に印刷されるか、或いは貼紙形式により内筒部３０の外表面に貼付される。回転筒部２０は本考案の重要な特徴であり、このため回転筒飾り用部材４２が必要で、外筒部飾り用部材４１及び／或いは内筒飾り用部材４３と組み合わされ、回転筒飾り用部材４２が回転すると、外筒部飾り用部材４１及び／或いは内筒飾り用部材４３は固定されて動かないため、趣向性が増す。
【００２６】
ちなみに、発光モジュール８０も不要であり、回転連動棒５４をやや長くし（或いは回転連動棒５４の上方に円柱を加える）、回転連動棒５４の頂端を押し端５１に直接接触させてもよい。即ち、押し端５１の重点は回転連動棒５４を押すことである。
（第２実施形態）
【００２７】
以下、第２実施形態を図１１及び図１２に基づいて説明する。回転効果を有する装置１ａはキーホルダーである。回転効果を有する装置１ａと第１実施形態との主な異なる点は、回転効果の装置１ａはペンの機構９０を有せず、メイン外筒部１２の下方には下外筒部１５ａが結合され、下外筒部１５ａの下方には締付環１５１ａ及びキーチェーン１５２ａを有する点である。回転効果を有する装置１ａは第１実施形態と同様に、どちらも共に外筒部１０、回転筒部２０、内筒部３０、押し構造５０、回転機構６０、減速機構７０及び発光モジュール８０等を有し、よって再述は省く。
（第３実施形態）
【００２８】
以下、第３実施形態を図１３〜図１９に基づいて説明する。回転効果を有する装置１ｄは液体用のボトルであり、例えばボディソープのボトル、ハンドソープのボトル、シャンプーボトル等である。回転効果を有する装置１ｄは外筒部１０ｄ、回転筒部２０ｄ、押し構造５０ｄ、回転機構６０ｄ及び減速機構７０ｄを備える。
【００２９】
また、外筒部１０ｄは上外筒部１１ｄ、メイン外筒部１２ｄ、飾り用のリング１７ｄ及び下外筒部１５ｄを備える。メイン外筒部１２ｄは内筒部１２１ｄ及び外層筒部１２２ｄを含み、内筒部１２１ｄは液体を注入するための容器である（図示せず）。飾り用のリング１７ｄは伸縮可能なリングであり、飾り用のリング１７ｄの上下端はそれぞれメイン外筒部１２ｄ及び下外筒部１５ｄに連結される。図１８及び図１９によると、メイン外筒部１２ｄが下に向け移動すると、飾り用のリング１７ｄは圧縮される。飾り用のリング１７ｄは装飾以外にも、液体或いはごみが下外筒部１５ｄ内に進入するのを防止する。
【００３０】
さらに、内筒飾り用部材４３ｄは内筒部１２１ｄの表面に貼付されてもよく、外筒部飾り用部材４１ｄは外層筒部１２２ｄの内表面或いは外表面に貼付されてもよく、当然ながら、外筒部飾り用部材４１ｄは外層筒部１２２ｄの外表面に直接印刷されてもよい。
【００３１】
本実施形態に係る回転筒部２０ｄはメイン回転筒部２６ｄ及び回転筒用の円盤台２７ｄを備える。メイン回転筒部２６ｄは薄いパターンが印刷されるプラスチック片が好ましく、即ちメイン回転筒部２６ｄ本体は回転筒飾り用部材４２ｄである。メイン回転筒部２６ｄの下方には複数の凸部２６１ｄを有し、回転筒用の円盤台２７ｄの対応する位置には複数の切欠き部２７１ｄが設けられ（図１６参照）、各凸部２６１ｄは対応する切欠き部２７１ｄに装設される。
【００３２】
押し構造５０ｄは押し装置５６ｄ、回転連動棒５４ｄ、及び弾性部材５５ｄを備える。押し装置５６ｄは押し端５１ｄ（押圧ヘッド）及びパイプ部５６１ｄを含み、押し装置５６ｄと上外筒部１１ｄとは結合される。押し装置５６ｄは内筒部１２１ｄ内に注入される液体の抽出に用いられ、このためパイプ部５６１ｄは内筒部１２１ｄに内設される。押し装置５６ｄは従来の技術であるため、再述はしない。図１５に示すように、内筒部１２１ｄの下方には係合部材１２１１ｄが設置されると共に回転連動棒５４ｄの上方に係合され、回転連動棒５４ｄは孔部５４２ｄを備えると共に弾性部材５５ｄを収納させる。回転連動棒５４ｄの表面には回転駆動部材５４１ｄを含み、本実施形態に係る回転連動棒５４ｄはスクリュー軸であり、回転駆動部材５４１ｄはねじ山である。
【００３３】
また、回転機構６０ｄは回転の案内部材６１ｄ、回転部材６２ｄ、はめあい部材６３ｄ及び回転弾性部材６４ｄを備える（図１５及び図１６参照）。回転の案内部材６１ｄは回転筒部２０ｄに内設され、回転の案内部材６１ｄは回転連動棒５４ｄに組み合わされ、回転の案内部材６１ｄはガイド溝６１１ｄを含み、前記回転桿５４ｄが前進すると、ガイド溝６１１ｄの形状の設計により、回転駆動部材５４１ｄが前進しガイド溝６１１ｄを連動させて回転の案内部材６１ｄに第一方向の回転を行わせる（本実施形態では反時計回り方向）。回転の案内部材６１ｄの下方には歯車部６１２ｄが設けられ、歯車部６１２ｄは斜面を有する設計であり、回転筒用の円盤台２７ｄの上方の斜面を有する設計の案内用歯車２１ｄに対応させ、回転の案内部材６１ｄが第一方向の回転を行うと回転筒部２０ｄが連動されて第一方向の回転を行う。
【００３４】
なお、図１６に示すように、回転部材６２ｄの円形の凸柱部６２４ｄははめあい部材６３ｄの孔部６３４ｄに対応し、回転部材６２ｄとはめあい部材６３ｄとは対応して回転を行う。回転弾性部材６４ｄの両端は回転部材６２ｄの固定孔６２２ｄ及びはめあい部材６３ｄの固定孔６３２ｄに連結される。
【００３５】
回転筒部２０ｄの下方には回転部材２２ｄが設置され（本実施形態では２つの凸型ブロック）、回転部材６２ｄの上方には対応する案内部材６２１ｄが設けられ（本実施形態は２つの凹型孔）、回転筒部２０ｄと回転部材６２ｄとは同調して回転を行う。
【００３６】
はめあい部材６３ｄは接着剤による接着方式等で下外筒部１５ｄの内ケースに固定される。本実施形態に係るはめあい部材６３ｄは下外筒部１５ｄの内円筒部１５３ｄと外円筒部１５４ｄとの間に嵌め合わされる。このため、はめあい部材６３ｄが下外筒部１５ｄに装設された後、はめあい部材６３ｄは回転不能になる。故に、回転部材６２ｄが第一方向の回転を行うと、回転弾性部材６４ｄは捻られ、回転部材６２ｄに加えられた力が解除されると、回転弾性部材６４ｄは回転復元力を提供し、回転部材６２ｄに第二方向の回転を行わせる（本実施形態では時計回り方向）。
【００３７】
この好ましい実施形態では、減速機構７０ｄは案内リング７１ｄ及びダンピング部材７５ｄを備える。案内リング７１ｄは環状リブ部７１１ｄ、環状凹部７１２ｄ及び複数のブレーキ板７１３ｄを含む（図１７乃至図１９参照）。外円筒部１５４ｄには環状リブ部７１１ｄに対応する位置きめ溝１５４１ｄが設けられる。回転筒部２０ｄの回転筒用の円盤台２７ｄの底端には環状のダンピング部材２３ｄが設置され、ダンピング部材２３ｄは環状凹部７１２ｄに対応する。本実施形態に係るダンピング部材７５ｄはダンピングオイルであり、装設の際に少量のダンピングオイル７５ｄが環状凹部７１２ｄ内に塗布される。そして、回転筒部２０ｄが自由回転すると、ダンピング部材２３ｄがダンピングオイル７５ｄに接触するため、回転筒部２０ｄが変速して減速する。次は、下外筒部１５ｄ及び減速機構７０ｄを図１７に基づいて説明する。外円筒部１５４ｄにはブレーキ板７１３ｄに対応する複数のブレーキブロック１５４２ｄが内設され、各ブレーキブロック１５４２ｄは三角形の外形を有する。案内リング７１ｄが第一方向（本実施形態では反時計回り方向）の回転を行う場合、各ブレーキブロック１５４２ｄが各ブレーキ板７１３ｄをブロックしないため、案内リング７１ｄは第一方向の回転を行える。案内リング７１が第二方向の回転（本実施形態では時計回り方向）を行う場合、各ブレーキブロック１５４２ｄは各ブレーキ板７１３ｄをブロックするため、案内リング７１ｄは第二方向の回転を行えない。
【００３８】
次は、図１８を参照に本実施形態の全動作のフローチャートを説明する。この際押し端５１ｄは押されておらず、回転連動棒５４ｄの大部分は回転の案内部材６１ｄの上方に位置される。図１９に示すように、使用者が押し端５１ｄを押すと（押し作動Ｐ１）、押し端５１ｄはメイン外筒部１２ｄを下に向けて押し、回転連動棒５４ｄにより下に向け圧されることにより回転の案内部材６１ｄは回転を行う。回転部材６２ｄは貫通孔６２３ｄを有するため、回転連動棒５４ｄは下に向け回転部材６２ｄに進入する。この際回転の案内部材６１ｄは第一方向Ｃ１の回転を行い、回転連動棒５４ｄは回転の案内部材６１ｄを下に向け圧し、回転の案内部材６１ｄの歯車部６１２ｄが回転筒部２０ｄの案内用歯車２１ｄに係合され、これにより回転筒部２０ｄは第一方向の回転を行う。続いて回転筒部２０ｄの回転部材２２ｄにより回転部材６２ｄが連動されて第一方向の回転を行い、回転弾性部材６４ｄが捻られる。図１７に示すように、回転筒部２０ｄが第一方向の回転を行うと、ダンピング部材２３ｄはダンピングオイル７５ｄの粘性により、案内リング７１は回転筒部２０ｄに従い第一方向の回転を行う（各ブレーキブロック１５４２ｄが各ブレーキ板７１３ｄをブロックしないため）。このため使用者が押し端５１ｄを押す場合、ダンピングオイル７５の抵抗力に対抗する必要はない。
【００３９】
使用者は押し端５１ｄを数回高速に押すことで、回転弾性部材６４ｄが捻られる程度を増加させることができる。使用者が押し端５１ｄを離すと（緩め作動Ｐ２）、図１９のように、弾性部材５５ｄは回転連動棒５４ｄを上に向け押し（メイン外筒部１２ｄも共に上に向けられる）、回転連動棒５４ｄは回転の案内部材６１ｄを上に連帯させ、回転の案内部材６１ｄの歯車部６１２ｄは回転筒部２０ｄの案内用歯車２１ｄへの係合から外される。回転弾性部材６４ｄが回転復元力を与え、回転部材６２ｄは第二方向Ｃ２の回転を行い、続いて回転部材６２ｄにより回転筒部２０ｄが連動されて第二方向Ｃ２の回転を行う。ダンピング部材２３ｄはダンピングオイル７５ｄの粘性により、ダンピング部材２３ｄが第二方向Ｃ２の回転を行おうとしても、各ブレーキブロック１５４２ｄが各ブレーキ板７１３ｄをブロックするために案内リング７１ｄは第二方向の回転を行えない。このためダンピング部材２３ｄはダンピングオイル７５ｄの抵抗力を受け、回転筒部２０ｄを変速させてゆっくり回転させる。
【００４０】
以上、本考案の実施形態について図面を参照して詳述したが、具体的な構成はこの実施形態に限られるものではなく、本考案の要旨を逸脱しない範囲の設計変更等も含まれる。即ち、例えば回転効果を有する装置のタッチパネル用のスタイラスペン（ペンの機構はスタイラスペンの機構に変更される）、玩具、或いはキーホルダー、ネックレス、携帯電話に追加されるアタッチメントや装飾品等でもよい。
【符号の説明】
【００４１】
１  回転効果を有する装置
１ａ  回転効果を有する装置
１ｄ  回転効果を有する装置
１０  外筒部
１０ｄ  外筒部
１１  上外筒部
１１ｄ  上外筒部
１１１  位置きめ溝
１１２  クリップ
１１３  ブレーキブロック
１２  メイン外筒部
１２ｄ  メイン外筒部
１２１ｄ  内筒部
１２１１ｄ  係合部材
１２２ｄ  外層筒部
１５ａ  下外筒部
１５ｄ  下外筒部
１５１ａ  締付環
１５２ａ  キーチェーン
１５３ｄ  内円筒部
１５４ｄ  外円筒部
１５４１ｄ  位置きめ溝
１５４２ｄ  ブレーキブロック
１７ｄ  飾り用のリング
２０  回転筒部
２０ｄ  回転筒部
２１  案内用歯車
２１ｄ  案内用歯車
２２  回転部材
２２ｄ  回転部材
２３  ダンピング部材
２３ｄ  ダンピング部材
２６ｄ  メイン回転筒部
２６１ｄ  凸部
２７ｄ  回転筒用の円盤台
２７１ｄ  切欠き部
３０  内筒部
４１  外筒部飾り用部材
４１ｄ  外筒部飾り用部材
４２  回転筒飾り用部材
４２ｄ  回転筒飾り用部材
４３  内筒飾り用部材
４３ｄ  内筒飾り用部材
５０  押し構造
５０ｄ  押し構造
５１  押し端
５１ｄ  押し端
５４  回転連動棒
５４ｄ  回転連動棒
５４１  回転駆動部材
５４１ｄ  回転駆動部材
５４２ｄ  孔部
５５  弾性部材
５５ｄ  弾性部材
５６ｄ  押し装置
５６１ｄ  パイプ部
６０  回転機構
６０ｄ  回転機構
６１  回転の案内部材
６１ｄ  回転の案内部材
６１１  ガイド溝
６１１ｄ  ガイド溝
６１２  歯車部
６１２ｄ  歯車部
６２  回転部材
６２ｄ  回転部材
６２１  案内部材
６２１ｄ  案内部材
６２２  固定孔
６２２ｄ  固定孔
６２３  貫通孔
６２３ｄ  貫通孔
６２４  円形の凸柱部
６２４ｄ  円形の凸柱部
６３  はめあい部材
６３ｄ  はめあい部材
６３２  固定孔
６３２ｄ  固定孔
６３３  係合部材
６３４  孔部
６３４ｄ  孔部
６４  回転弾性部材
６４ｄ  回転弾性部材
７０  減速機構
７０ｄ  減速機構
７１  案内リング
７１ｄ  案内リング
７１１  環状リブ部
７１１ｄ  環状リブ部
７１２  環状凹部
７１２ｄ  環状凹部
７１３  ブレーキ板
７１３ｄ  ブレーキ板
７５  ダンピング部材
７５ｄ  ダンピング部材
８０  発光モジュール
８１  ランプ
８２  バッテリー
８５  筒部
８６  導光柱
８６１  小径の孔部
９０  ペンの機構
９１  筒部
９２  ペン先部
９３  飾り用のリング
９４  ペンの芯部
９５  ペンの芯の弾性部材
９６  圧下用のキット
【図１】
0003194274.tif 000003
【図２】
0003194274.tif 000004
【図３】
0003194274.tif 000005
【図４】
0003194274.tif 000006
【図５】
0003194274.tif 000007
【図６】
0003194274.tif 000008
【図７】
0003194274.tif 000009
【図８】
0003194274.tif 000010
【図９】
0003194274.tif 000011
【図１０】
0003194274.tif 000012
【図１１】
0003194274.tif 000013
【図１２】
0003194274.tif 000014
【図１３】
0003194274.tif 000015
【図１４】
0003194274.tif 000016
【図１５】
0003194274.tif 000017
【図１６】
0003194274.tif 000018
【図１７】
0003194274.tif 000019
【図１８】
0003194274.tif 000020
【図１９】
0003194274.tif 000021